(57)【特許請求の範囲】
【請求項１】
実質的に封じ込められた室内を備えたハウジングと、
前記ハウジングの前記室内内部に配置された印刷装置と、
前記ハウジングの外側の外面に配置された用紙トレイと、
前記ハウジングの内部に配置された少なくとも１つの空気ろ過ユニットであって、フィルタを通して前記ハウジングの前記外側に空気を吹き出し、前記ハウジングの前記内部を負圧にして、微粒子が前記ハウジングの前記内部から前記ハウジングの前記外側へ漏れ出ることを防止する空気ろ過ユニットと、
前記ハウジング内部で前記印刷装置により印刷された用紙を、前記印刷装置から前記ハウジングの前記外側の前記用紙トレイに転送する用紙ガイドであって、前記外側の前記用紙トレイに前記印刷された用紙を出力する前に、前記空気ろ過ユニットにより微粒子が前記ハウジングの前記内部から前記外側へ漏れ出ないように空気が吹き出されて負圧にされた前記ハウジングの前記内部を前記印刷された用紙が通過するように構成された用紙ガイドとを有する可搬式の印刷キャビネット。
【請求項２】
請求項１において、さらに、
前記ハウジングに取り付けられた少なくとも１つのヒンジ付きカバーを有する可搬式の印刷キャビネット。
【請求項３】
請求項１または２において、さらに、
前記ハウジング内部に配置された内部棚であって、前記ハウジングの上部と前記キャビネットの下部とを区分けする内部棚を有する可搬式の印刷キャビネット。
【請求項４】
請求項１ないし３のいずれかにおいて、さらに、
前記ハウジングに設けられた少なくとも１つの通気口を備えている、可搬式の印刷キャビネット。
【請求項５】
請求項４において、
前記少なくとも１つの空気ろ過ユニットは、前記ハウジングの前記室内から前記ハウジングの前記外部へ前記少なくとも１つの通気口を介して空気を送り、前記ハウジングの前記内部を負圧に維持するファンを有する、可搬式の印刷キャビネット。
【請求項６】
請求項１ないし５のいずれかにおいて、
前記ハウジングは、ステンレススチール製である、可搬式の印刷キャビネット。
【請求項７】
請求項１ないし６のいずれかにおいて、さらに、
前記ハウジングに取り付けられた、前記第１のヒンジ付きカバーに隣接する第２のヒンジ付きカバーを有する、可搬式の印刷キャビネット。
【請求項８】
請求項１ないし７のいずれかにおいて、さらに、
前記ハウジングに取り付けられた少なくとも１つの扉を有する、可搬式の印刷キャビネット。
【請求項９】
請求項１ないし８のいずれかにおいて、さらに、
前記ハウジング内部に配置された第２の空気ろ過ユニットを有し、前記ハウジングに設けられた複数の通気口を備えている、可搬式の印刷キャビネット。
【請求項１０】
請求項１ないし９のいずれかにおいて、さらに、
前記ハウジンの下面に固定された複数の車輪を有する、可搬式の印刷キャビネット。
【請求項１１】
請求項１ないし１０のいずれかにおいて、さらに、
前記ハウジングに設けられた少なくとも１つのデータ接続ポートを有する、可搬式の印刷キャビネット。
【請求項１２】
請求項１ないし１１のいずれかにおいて、さらに、
前記ハウジングに設けられた電源コンセントを有する、可搬式の印刷キャビネット。
【請求項１３】
請求項１２において、さらに、
前記ハウジング内部に配置されたバッテリを有し、前記電源コンセントと電気的に接続されている、可搬式の印刷キャビネット。
【請求項１４】
実質的に封じ込められた室内と底面とを備えたステンレススチール製のハウジングと、
前記ハウジングの前記底面に固定された複数の車輪と、
前記ハウジングに取り付けられた少なくとも１つの扉と、
前記ハウジング内部に配置され、キャビネットの上部と下部とを区分けする内部棚と、
前記内部棚の上に配置された印刷装置と、
前記ハウジングに取り付けられたヒンジ付きカバーであって、隣接する２つのヒンジ付きカバーと、
前記ハウジングの外側の外面に配置された用紙トレイと、
前記印刷装置から前記用紙トレイに延び、前記ハウジング内部で、前記印刷装置から前記ハウジングの前記外側の前記用紙トレイに印刷された用紙を転送するように構成された用紙ガイドと、
前記ハウジング内部に配置された２つの空気ろ過ユニットであって、それぞれが前記ハウジングに設けられた通気口を含む空気ろ過ユニットと、
前記ハウジングに設けられた電源コンセントと、
前記ハウジング内部に配置され、前記電源コンセントと電気的に接続されたバッテリと、
前記ハウジングに設けられた少なくとも１つのデータ接続ポートとを有し、
前記２つの空気ろ過ユニットの少なくとも１つの空気ろ過ユニットは、前記印刷装置が配置された前記ハウジングの前記上部に配置され、フィルタを通して前記ハウジングの前記外側に空気を吹き出し、前記ハウジングの前記上部の内部を負圧にして、微粒子が前記ハウジングの前記上部の前記内部から前記ハウジングの前記外側へ漏れ出ることを防止し、
前記用紙ガイドは、前記外側の前記用紙トレイに前記印刷された用紙を出力する前に、前記少なくとも１つの空気ろ過ユニットにより微粒子が前記内部から前記外側へ漏れ出ないように空気が吹き出されて負圧にされた前記ハウジングの前記上部の前記内部を前記印刷された用紙が通過するように構成されている、可搬式の印刷キャビネット。
【発明の詳細な説明】
【技術分野】
【０００１】
本発明は、無菌環境で使用する可搬式印刷キャビネットに関するものである。特に、本発明は、微粒子や微生物などの外部の汚染物質を持ち込むことなくクリーンルームで使用することができる、多区画に分けられた印刷ユニットを提供する。
【背景技術】
【０００２】
無菌（減菌）の「クリーンルーム」環境では、部屋に入るすべての人またはアイテムは、一定レベルの汚染物資を含まないことが要求される。無菌環境（減菌環境）は、最も一般的には、たとえば、製薬、バイオテクノロジおよびヘルスケア産業などにおける製造施設、医療研究施設および治療施設で使用するように設計されている。無菌（減菌）のクリーンルーム環境は、国際標準化機構（「ＩＳＯ」）のクリーンルーム標準を含む、様々な分類方式により分類され、それによれば、無菌状態の最高レベルはＩＳＯ１のクリーンルームであり、通常の周囲の空気（未滅菌）は、ＩＳＯ９に分類される。ＩＳＯ規格は、立方メートルあたりの最小粒子径を有する微粒子の許容数に対応する。たとえば、ＩＳＯ５のクリーンルームは、以下を許容する：粒子径が０．１μｍを超える微粒子が最大１００，０００個；粒子径が０．２μｍを超える微粒子が最大２３，７００個；粒子径が０．３μｍを超える微粒子が最大１０，２００個；粒子径が０．５μｍを超える微粒子が最大３，５２０個；粒子径が１μｍを超える微粒子が最大８３２個；そして、粒子径が５μｍを超える微粒子が最大２９個。
【０００３】
様々な製品が、クリーンルーム環境の内部で利用されており、それらには管理区域内で製造や試験の記録を文書化するために用いられる用紙や紙製品が含まれる。そのような紙製品は、記入用紙、ログブック、タグおよびバッチ記録を含み、これらに限定されない。これらの文書の全ては、製造および試験プロセスを詳述するために必要であり、これにより、適切な手順が順守され、結果が文書化できる。実際に、これらの文書は、米国食品医薬品局（ＦＤＡ）などの監督機関によって審査され、また、それらの機関によって製造および試験プロセスの詳細を、薬物製品の製造、試験および取扱いの後に、たとえば患者の安全を確保するために、確認できるメカニズムとなる。
【０００４】
しかしながら、紙や紙製品は重大な汚染源であり、要因は脱落繊維、微粒子および微生物（たとえば、細菌やカビ）である。およそ４０％の無菌環境で使用される紙製品は、予め印刷され、パッケージ化され、公知の方法で滅菌された標準的な文書である。しかしながら、残りの無菌環境に持ち込まれる文書は、その都度、事前に印刷したり、滅菌化したり、パッケージ化したりすることができないものである。ドキュメントの準備には、製造や試験が開始される数日前あるいは、たとえ数時間前までに準備が間に合わない情報を必要とする。場合によっては、これらは、製造および／または試験が行われている間に準備されなければならない。このため、これらの文書は、脱落繊維、微粒子および微生物を低減する事前処理なしで無菌領域に持ち込むことを余儀なくされる。したがって、これらは重大な汚染源の代表となる。
【０００５】
この問題を解決するために、本発明は、無菌（滅菌）環境で外部の汚染物質を持ち込まずに書類を印刷できる、クリーンルーム用のポータブル印刷キャビネット（ポータブルクリーンルームプリンティングキャビネット、可搬式の印刷キャビネット）を提供する。
【発明の概要】
【０００６】
したがって、本発明は、実質的に封じ込められた室内を備えたハウジングと、ハウジングの室内内部（室内の範囲内）に配置された印刷装置と、ハウジングの外側の外面に配置された用紙トレイと、ハウジング内部に配置された少なくとも１つの空気ろ過ユニットであって、フィルタを通してハウジングの外側に空気を吹き出し、ハウジングの内部を負圧にして、微粒子がハウジングの内部からハウジングの外側へ漏れ出ることを防止する空気ろ過ユニットと、ハウジング内部で印刷装置により印刷された用紙を、印刷装置からハウジングの外側の用紙トレイに転送する用紙ガイドであって、外側の用紙トレイに印刷された用紙を出力する前に、空気ろ過ユニットにより微粒子がハウジング内部から外側へ漏れ出ないように空気が吹き出されて負圧にされたハウジング内部を印刷された用紙が通過するように構成された用紙ガイドとを有する可搬式の印刷キャビネットを提供する。
【０００７】
本発明は、さらに、実質的に封じ込められた室内と底面とを備えたステンレススチール製のハウジングと、ハウジングの底面に固定された複数の車輪と、ハウジングに取り付けられた少なくとも１つの扉と、ハウジング内部に配置され、キャビネットの上部と下部とを区分けする内部棚と、内部棚の上に配置された印刷装置と、ハウジングに取り付けられたヒンジ付きカバーであって、隣接する２つのヒンジ付きカバーと、ハウジングの外側の外面に配置された用紙トレイと、印刷装置から用紙トレイに延び、ハウジング内部で、印刷装置からハウジングの外側の用紙トレイに印刷された用紙を転送するように構成された用紙ガイドと、ハウジング内部に配置された２つの空気ろ過ユニットであって、それぞれがハウジングに設けられた通気口を含む空気ろ過ユニットと、ハウジングに設けられた電源コンセントと、ハウジング内部に配置され、電源コンセントと電気的に接続されたバッテリと、ハウジングに設けられた少なくとも１つのデータ接続ポートとを有し、２つの空気ろ過ユニットの少なくとも１つの空気ろ過ユニットは、印刷装置が配置されたハウジングの上部に配置され、フィルタを通してハウジングの外側に空気を吹き出し、ハウジングの上部の内部を負圧にして、微粒子がハウジングの上部の内部から前記ハウジングの外側へ漏れ出ることを防止し、用紙ガイドは、外側の用紙トレイに印刷された用紙を出力する前に、少なくとも１つの空気ろ過ユニットにより内部から外側へ微粒子が漏れ出ないように空気が吹き出されて負圧にされたハウジングの上部の内部を印刷された用紙が通過するように構成されている可搬式の印刷キャビネットを提供する。
【図面の簡単な説明】
【０００８】
本発明のより完全な理解およびそれに付随する多くの利点が、容易に得られるためには、それらは、以下の詳細な説明を参照し、以下に添付の図面と関連して考慮されることにより、より良く理解されるであろう。
【図１】本発明の例示的な実施形態による可搬式の印刷キャビネットの斜視図。
【図２】図１に示す可搬式の印刷キャビネットの２−２線に沿った前方から見た断面図。
【図３】図１に示す可搬式の印刷キャビネットの側面図。
【発明を実施するための形態】
【０００９】
図１〜３を参照すると、本発明の可搬式の印刷キャビネット（ポータブルプリンティングキャビネット）１００は、管理されたクリーンルーム環境で、滅菌された用紙に高速で文書を印刷できる。このキャビネットは、印刷された文書に付着している微生物の数（バイオバーデン、たとえば細菌やカビといった微生物）を減少または排除する。印刷キャビネット１００は、さらに、用紙からの微粒子および繊維の脱落を確実に最小限にまたは排除できる。本発明の印刷キャビネット１００は、ＩＳＯ５レベルまたはそれ以下のクリーンルームを含む、すべてのＩＳＯレベルで管理された領域で使用できる。
【００１０】
図１に示すように、印刷キャビネット１００は、通常、少なくとも４つの側面と底面１０４とを含むハウジング１０２を有する。図示された実施形態においては、４つの側面は、薄い矩形状のパネルにより形成されており、左面１３０と、前面１２４と、右面１３４と、背面１３５とを含む。側面１２４、１３０、１３４および１３５は、ハウジング１０２の底面１０４と接合され、実質的に直方体のキャビネット１００を形成していることが好ましい。好ましくは、ハウジング１０２は室内空間（内部空間）を規定する筐体（封入容器、エンクロジャー）を形成する。横材１１３がハウジング１０２の前面１２４をハウジング１０２の背面１３５に接続してもよい。キャビネット１００は、当該技術分野で知られている構造のいずれかを適用してもよい。図１に示すように、キャビネット１００は、底面１０４に固定された複数の車輪１０６により支持されている。車輪１０６を使用することにより、キャビネット１００は、掃除または滅菌処理のために必要な時に、クリーンルームの外に移動することが可能である。キャビネット１００を１つの場所から別の場所に移動させる必要がなければ、脚構造であってもよい。
【００１１】
ハウジング１０２は、耐久性のある材料で形成され、それにより印刷デバイス（印刷装置）や他のアイテムを格納でき、また、キャビネット１００の室内への流体または空気の流動を防止できる。実際、ハウジング１０２は、好ましくは、１つのシールされたユニット（カバー１１０および１１２とともに）を形成し、汚染物質が漏れ出ないようにしている。一実施形態によれば、ハウジング１０２の全体は、ステンレススチール（ステンレス鋼）で形成されている。別の実施形態によれば、他の耐久性のある金属またはプラスチック材料を使用できる。金属の方が好ましく、それによりユニットの滅菌処理をオートクレーブ（高圧滅菌器）または他の同様の装置で行える。
【００１２】
図２を参照すると、図１の２−２線に沿った印刷キャビネット１００の断面が示されている。内部棚（室内棚）１１８を設けてもよく、それは、キャビネット１００を上部１１４と下部１２０とに分割している。一実施形態では、内部棚１１８は、ハウジング１０２の側面１２４、１３０、１３４および１３５に溶接されることにより、アセンブリが完了する。上部１１４は、印刷装置（印刷デバイス）１１６を収納しており、印刷装置１１６は内部棚１１８の上に配置できる。当業者に公知のいずれの印刷装置でも使用できる。最低レベルの微粒子を放出し、開口（脱粒）が少なく、インクの液滴の放出が少ない、高品位プリンタが好ましい。一実施形態によれば、ウィスコンシン州ブルックフィールドのColordyne Technologies LLC社製のCDT 1600Sプリンタを使用している。しかしながら、本発明の範囲内では任意の適切なプリンタを利用できる。
【００１３】
キャビネット１００の上部１１４は、空気ろ過ユニット１３３を収納してもよく、空気ろ過ユニット１３３は、ハウジング１０２の少なくとも一方の側に配置された外部通気孔１４０に位置を合わせて配置されたファンを含む（図１を参照）。当業者が公知のろ過ユニットのいずれかを使用してもよいが、ろ過率９９．９９９７％を達成するユニットが好ましい。より具体的には、ユニット１３３は、０．５ミクロンの微粒子に対して９９．９９９７％の割合で、キャビネット１００の室内からの空気を濾過する必要がある。一実施形態によれば、高効率微粒子空気（「ＨＥＰＡ」）ろ過ユニットを使用してもよい。空気ろ過ユニット１３３のファンは、このフィルターを通してキャビネットの外に空気を吹き出す。これにより、キャビネット１００を、外部通気孔１４０を介して負圧の状態に維持でき、外部環境への微粒子の拡散のリスクを最小限にできる。したがって、もし扉１２２または１３２、あるいはカバー１１０または１１２が開いていても、ファンがハウジングの内部（室内）に空気を吸い込み、微粒子が漏れ出るのを防止する。さらに、内部棚１１８は通気孔（不図示）を有していてもよく、それにより、キャビネット１００内の上部１１４と下部１２０との間の圧力を均等にできる。
【００１４】
好ましい実施形態によれば、少なくとも１つのヒンジ付きカバーがキャビネット１００のハウジング１０２に取り付けられており、上部１１４を包囲する（封じる）とともに、印刷装置１１６への容易なアクセスを可能とする。図１に示すように、上部１１４は、ほぼ三角形状をした２つの隣接したヒンジ付きカバー１１０および１１２により封じ込められている。具体的には、ヒンジ付きカバー１１０および１１２は、それぞれ角度がついたエッジ１２３を含んでいてもよく、それらがハウジング１０２の前面１２４および背面１３５と組み合わされている。前面カバー１１０は、ハウジング１０２の横材１１３に、その一方の長辺１１５に沿ってヒンジで結合されていてもよい。一方の部材に他の部材をヒンジ結合する任意の方法を使用することができ、たとえば、ピアノに用いられているような機械式のヒンジであってもよく、辺１１５に沿ってカバー１１０と横材１１３との間に介在する物であって帯状のポリマー（例えば、ポリプロピレン）製の介在物であってもよい。空気ろ過ユニット１３３がキャビネット１００の室内を負圧の、適切な状態に維持し、汚染物質のリスクを最小限にしているが、ガスケットまたはゴムシールを、ヒンジ付きカバー１１０および１１２とハウジング１０２との間のいずれのサイドに必要に応じて使用してもよく、汚染物質からの保護をさらに確実にできる。
【００１５】
前面カバー１１０は、外面に、印刷された文書を受け取るための用紙トレイ１２６を含んでもよい。別の実施形態では、給紙トレイ１２６は、前面カバー１１０上にある必要はなく、ハウジング１０２とは別体で、ハウジング１０２に取り付けられたものであってもよい。あるいは、印刷された用紙が、印刷装置１１６の一端に隣接した側面に位置するハウジング１０２内の開口から排出されるようにしてもよい。
【００１６】
図２に示したように、印刷装置１１６は、その一方の端から延びる用紙ガイド１２８を含んでもよい。用紙ガイド１２８は、Ｃ字状の用紙分配ガイドであって、その長さ方向に並んだ複数のローラ１３１を含んでいてもよい。一実施形態では、用紙ガイド１２８は、半径が３〜８インチの半円形であり、様々な用紙サイズに適応するものである。印刷された用紙が印刷装置１１６から排出されると、ローラ１３１により用紙ガイド１２８の上を「Ａ」で示す方向に移動する。用紙ガイド１２８は用紙を上方へとガイドし用紙トレイ１２６に用紙を入れることにより、印刷装置１１６にアクセスするために前面カバー１１０を持ち上げたりすることなく、用紙にアクセスできる。このように、用紙ガイド１２８は、ハウジング１０２の内部（内側）において、印刷装置１１６から用紙を、ハウジング１０２の外側の用紙トレイ１２６へ搬送（転送）する。印刷された用紙は、印刷装置１１６から、用紙ガイド１２８のローラ１３１に沿って用紙を押し出して用紙トレイ１２６に積み重ねられるのに十分な力で排出される必要がある。一実施形態においては、モータを備えたギア駆動アセンブリ（不図示）を、ローラを回転させて印刷された用紙を用紙ガイド１２８に沿って押したり、または引っ張るために使用してもよい。前面カバー１１０は、用紙トレイ１２６と連絡する開口部１２９を含み、印刷された用紙はその開口部１２９を通過する。具体的には、用紙ガイド１２８は、フロントカバー１１０の開口部１２９の上部と接続されており、用紙は用紙トレイ１２６の中の先に印刷された用紙の上に積み重ねられる。前面カバー１１０は、印刷装置１１６が紙詰まりを起こしたり、または詰まった用紙を用紙ガイド１２８から除去する必要がある場合にのみ、持ち上げられればよい。前面カバー１１０は、一人の人間が保護手袋を着用しても使用できるハンドル１２１を含んでいてもよい。
【００１７】
背面カバー１１２は、前面カバー１１０と同様の構成とすることができる。背面カバー１１２は、印刷装置１１６に用紙を供給するために使用されてもよい。具体的には、背面カバー１１２は、ハウジング１１２の横材１１３の、前面カバー１１０と接続された側と反対側の長辺１１７に沿って、ヒンジで結合されていてもよい。ヒンジ機構は、上述した前面カバー１１０に使用されたものと同様であってもよい。背面カバー１１２は設計されたハンドル１１９を含んでいてもよく、一人の人間が保護手袋を着用した状態で使えるように設計されている。図２に、第１および第２のカバー１１０および１１２をそれぞれ開いた状態を示している。
【００１８】
ハウジング１０２の左側面１３０は、印刷装置１１６および印刷キャビネット１００の上部１１４にアクセスするために１つまたはそれ以上の扉１３２（図１においては１つの扉が示されている）を含んでもよい。具体的には、このような実施形態に限定されるものではないが、扉１３２はプリンタカートリッジの交換のために使用できる。本発明において、高品質の印刷装置が好ましいため、多数の印刷用カートリッジの使用が必要とされ、それらを頻繁に交換する必要があるかもしれない。ユーザは、図２に示すように、扉１３２を開けて、印刷装置１１６にアクセスし印刷用カートリッジを交換できる。扉１３２は、図１および２において、キャビネット１００の左側面１３０に示されているが、印刷装置１１６にアクセス可能な、キャビネット１００のいずれかの側面に配置されていてもよい（たとえば、前面１２４）。前面および背面カバー１１０および１１２のそれぞれと同様に、ガスケットまたはゴムシールが、必要に応じて、扉１３２とハウジング１０２との間に用いられ、さらに防塵性を確保するようにしてもよい。
【００１９】
図３に示すように、ハウジング１０２の右側面１３４は、データケーブルおよび／または電源ケーブルを接続するためのポートを含んでもよい。具体的には、２つのデータ接続ポート１３６と１つの電源コンセント１３８が示されているが、任意の数のポートが、様々な目的のために存在していてもよい。別の実施形態によれば、ポート１３６およびコンセント１３８は、キャビネット１００のいずれの側面に設けてもよい。データ接続ポート１３６およびコンセント１３８を、キャビネット１００の内部の印刷装置１１６または他のデバイス（装置）と接続できるように、ハウジング１０２の外側（図３に示すように）およびハウジング１０２の内側の両側に設けられる。具体的には、印刷装置１１６および他の電子機器は、たとえば、ハウジング１０２の内部から、電源コンセント１３８に差し込むことができる。ハウジング１０２の外側から、電源に差し込まれたＡＣ電力コードが、さらに電源コンセント１３８に差し込まれる。図３に示すように、ハウジング１０２の外側の電源コンセント１３８は雄コネクタ（二つ又または三つ又）であり、ハウジング１０２内に嵌め込まれることにより損傷から保護されている。ハウジング１０２の室内では、コンセント１３８は雌コネクタであり、印刷装置１１６およびその他の電気部品から電源プラグを受け入れる。キャビネット１００の外部表面上にポート１３６および電源コンセント１３８を配置することにより、キャビネット１００をある場所から他の場所へ移動させたときなどに、印刷装置１１６を電源に差し込んだり、抜いたりするために、扉１２２（後述）が開けられることがないという利点がある。
【００２０】
ポータブルユニット（可搬式のユニット）として、キャビネット１００は、ＡＣ電源（すなわち、米国では１１０ＶＡＣ、または世界的な２２０ＶＡＣ）またはバッテリ電源のいずれかで動作できる。一実施形態では、バッテリ（不図示）は、キャビネット１００の下部１２０内部に配置され、電源コンセント１３８に電気的に接続されている。バッテリは、印刷装置１１６および１つまたはそれ以上の空気ろ過ユニット１３３に少なくとも６時間にわたり電力を供給するタイプのものであってもよい。不使用時は、バッテリを、コンセント１３８を介して供給される電力により充電できる。
【００２１】
印刷キャビネット１００の下部１２０は、内部棚１１８の下方に位置しており、滅菌された用紙などの様々なアイテムを保管するために使用できる。下部１２０は、キャビネット１００のいずれかの１または複数の側面に取り付けられた１つまたは複数の扉１２２を介してユーザにアクセス可能であってもよい。図１および２に示すように、下部１２０は、キャビネット１００の前面１２４に取り付けられた２つの扉１２２を含むが、２つ以上の扉が含まれていてもよい。下部１２０もまた、上部１１４に収納されたろ過ユニット１３３と同様の空気ろ過ユニット（不図示）を収納していてもよい。本明細書で説明したように、ガスケットまたはシールを、ドア１２２の外周とハウジング１０２との間に用いることにより、さらに防塵性を確保することができる。
【００２２】
別の実施形態においては（不図示）、ハウジング１０２は、印刷された用紙が用紙トレイ１２６へ移行する開口部１２９を除き、開口部および扉が一切ないような状態で実質的に封じ込められている。ハウジング１０２内部に空気ろ過ユニット１３３が存在することにより、キャビネット１００内部を負圧に維持することができ、汚染に対する保護が保証されている。
【００２３】
実際には、印刷装置１１６と、１または複数の空気ろ過ユニット１３３とは、ネットワークへの無線接続または有線接続を介して制御されてもよい。有線を使用する一実施形態においては、１つのＵＳＢケーブルまたはイーサネットケーブルがＰＣからポート１３６まで接続され、別のケーブルがポート１３６からハウジング１０２の内部に配置された印刷装置１１６まで接続されていてもよい。別の実施形態では、任意の既知の無線通信方式が使用でき、無線通信方式は、ＷｉＦｉやＢｌｕｅｔｏｏｔｈ（登録商標）機能を含み、これらに限定されない。印刷装置１１６の制御は、クリーンルーム内部で、任意の既知の無線または有線の装置により達成され、それらには、ネットワークコンピュータ、ｉＰａｄ（登録商標）、パーソナルコンピュータ（ＰＣ）、またはラップトップコンピュータが含まれ、これらに限定されない。信号が受信されると、印刷装置１１６は、要求された文書を印刷し、それをユーザが収集する用紙トレイ１２６に排出する。たとえば、印刷装置１１６が起動したときに、モータはローラ１３１を起動できる。
【００２４】
クリーンルーム環境の無菌状態（滅菌状態）をさらに確保するために、印刷装置１１６は予め滅菌処理された用紙に印刷する。当業者に知られている用紙を滅菌する方法のいずれでも使用でき、その方法は、蒸気、熱、化学処理、またはガンマ線照射が含まれ、これらに限定されない。好ましくは、塵落ち（抜け落ち）のない（non-shedding）用紙製品が使用される。一実施形態では、プラスチック製の塵落ちのない印刷媒体、たとえば、ペンシルベニア州ピッツバーグのＰＰＧインダストリーズ（ＰＰＧ  Ｉｎｄｕｓｔｒｉｅｓ）社製のテスリン（Ｔｅｓｌｉｎ）（登録商標）を使用できる。しかしながら、任意の適切な用紙または印刷媒体を使用できる。用紙または印刷媒体は、所定の長さのロールで提供されてもよく、連（リーム）単位のカットシートで提供されてもよい。上述したように、この用紙は、使用していないときは、キャビネット１００の下部１２０に保管されていてもよい。
【００２５】
この印刷キャビネット１００は十分に運搬可能である。キャビネット１００内部に配置された全ての内容物（たとえば、印刷装置１１６、空気ろ過ユニット１３３）は、ハウジング１０２内部に封入されている。印刷キャビネット１００は、他の場所に車輪で動くことができ、どの標準的なＡＣ電源にも接続できる。
【００２６】
本発明を特定の形態およびその実施形態に関連して説明してきたが、上述のもの以外の様々な変更が本発明の精神または範囲から逸脱しない範囲で採用できることが理解されるであろう。例えば、同等の要素は、具体的に図示および記載されたものと置換することができ、特定の特徴は、他の特徴から独立して使用することができ、さらに、ある場合においては、特定の要素の配置は、逆にされたりまたは間に入れられたりしてもよく、これらすべては、添付の特許請求の範囲に規定される本発明の精神または範囲から逸脱することはない。
【図１】
0006424227.tif 000002
【図２】
0006424227.tif 000003
【図３】
0006424227.tif 000004